(57)【要約】      （修正有）【課題】身体を効率的に冷却することができ、好適に着用できる空調衣服を提供する。【解決手段】この空調衣服１００であれば、送風手段５０によって服本体１０内に取り込まれた空気が、フード部３における使用者の首周りを覆う部分の第１の空気排出手段３１と、フード部３における使用者の頭頂を覆う部分の第２の空気排出手段３２とから排出されるので、その排出される空気が使用者の顔面に当たることはない。特に、第１の空気排出手段３１から排出される空気が使用者の背中から首元に当たり易く、好適に身体を冷却することができるので、好適に着用することができる。【選択図】図２
2020193416.tif 000002
【特許請求の範囲】
【請求項１】
使用者の身体のうち少なくとも上半身を覆う服本体と、
前記服本体と身体又は下着との間の空間に空気を流通させるための送風手段と、を備えた空調衣服であって、
前記服本体は、前記使用者の胴を覆う胴体部と、前記使用者の腕を覆う一対の袖部と、前記使用者の首周りから頭を覆うフード部と、を有しており、
前記フード部には、前記使用者の顔面に当たらないように、前記空間を流通した空気を外部に排出する空気排出手段が設けられていることを特徴とする空調衣服。
【請求項２】
前記空気排出手段は、前記使用者の首周りを覆う部分と、前記使用者の頭頂を覆う部分の少なくとも一方に設けられていることを特徴とする請求項１に記載の空調衣服。
【請求項３】
前記空気排出手段は、前記空間を流通した空気を外部に排出可能な通気性を有するシート状素材で形成されていることを特徴とする請求項１又は２に記載の空調衣服。
【請求項４】
前記空気排出手段を構成するシート状素材は、伸縮性を有する素材であることを特徴とする請求項３に記載の空調衣服。
【請求項５】
前記フード部には前記使用者の頭を覆った状態で前記使用者の顔を出すための開口が設けられており、その開口の縁は前記使用者の顔に密着可能に構成されていることを特徴とする請求項１〜４のいずれか一項に記載の空調衣服。
【発明の詳細な説明】
【技術分野】
【０００１】
本発明は、身体又は下着の表面に空気の流れを発生させることによって身体を冷却する空調衣服に関する。
【背景技術】
【０００２】
近年、身体又は下着の表面と略平行に大量の外気を流通させることにより身体から出た汗を蒸発させて、身体を冷却する空調衣服が実用化されている（例えば、特許文献１，２参照。）。
空調衣服では、ファンの駆動によって服本体と身体又は下着との間の空間に送り込んだ空気が、首周りの開口部や両方の袖口の開口部などから外部に排出されるようになっている。
【先行技術文献】
【特許文献】
【０００３】
【特許文献１】国際公開第２０１５／１４５６６６号
【特許文献２】国際公開第２０１６／０７１９６６号
【発明の概要】
【発明が解決しようとする課題】
【０００４】
ところで、使用者の頭を覆うフード部を備えた空調衣服の場合、フード部内に送り込まれた空気がフード部の開口から使用者の顔面に当たるように排出されることがある。
フード部の開口から排出された空気が顔面に当たることで冷却効果を感じることもあるが、絶えず顔面に空気が当たることが不快になってしまうことがあった。
【０００５】
本発明の目的は、身体を効率的に冷却することができ、好適に着用できる空調衣服を提供することである。
【課題を解決するための手段】
【０００６】
上記課題を解決するため、請求項１に記載の発明は、
使用者の身体のうち少なくとも上半身を覆う服本体と、
前記服本体と身体又は下着との間の空間に空気を流通させるための送風手段と、を備えた空調衣服であって、
前記服本体は、前記使用者の胴を覆う胴体部と、前記使用者の腕を覆う一対の袖部と、前記使用者の首周りから頭を覆うフード部と、を有しており、
前記フード部には、前記使用者の顔面に当たらないように、前記空間を流通した空気を外部に排出する空気排出手段が設けられていることを特徴とする。
【０００７】
請求項２に記載の発明は、請求項１に記載の空調衣服において、
前記空気排出手段は、前記使用者の首周りを覆う部分と、前記使用者の頭頂を覆う部分の少なくとも一方に設けられていることを特徴とする。
【０００８】
請求項３に記載の発明は、請求項１又は２に記載の空調衣服において、
前記空気排出手段は、前記空間を流通した空気を外部に排出可能な通気性を有するシート状素材で形成されていることを特徴とする。
【０００９】
請求項４に記載の発明は、請求項３に記載の空調衣服において、
前記空気排出手段を構成するシート状素材は、伸縮性を有する素材であることを特徴とする。
【００１０】
請求項５に記載の発明は、請求項１〜４のいずれか一項に記載の空調衣服において、
前記フード部には前記使用者の頭を覆った状態で前記使用者の顔を出すための開口が設けられており、その開口の縁は前記使用者の顔に密着可能に構成されていることを特徴とする。
【発明の効果】
【００１１】
本発明によれば、身体を効率的に冷却することができ、好適に着用できる空調衣服が得られる。
【図面の簡単な説明】
【００１２】
【図１】本実施形態の空調衣服を示す正面図である。
【図２】本実施形態の空調衣服を示す背面図である。
【発明を実施するための形態】
【００１３】
以下、図面を参照して、本発明に係る空調衣服の実施形態について詳細に説明する。但し、以下に述べる実施形態には、本発明を実施するために技術的に好ましい種々の限定が付されているが、本発明の範囲を以下の実施形態及び図示例に限定するものではない。
【００１４】
本実施形態の空調衣服１００は、例えば、図１、図２に示すように、使用者の身体のうち少なくとも上半身を覆う服本体１０と、服本体１０と身体又は下着との間の空間に空気を流通させるための送風手段５０等を備えて構成されている。
【００１５】
服本体１０は、使用者の上半身を覆うような形状に形成されている。
具体的には、この服本体１０は、使用者の胴を覆う胴体部１と、使用者の腕を覆う一対の袖部２と、使用者の首周りから頭を覆うフード部３と、を有している。
袖部２は、胴体部１のアームホールに縫着されている。
フード部３は、胴体部１の首周り部分に縫着されている。
本実施形態の空調衣服１００は、長袖状の袖部２を有しているが、半袖状の袖部であってもよい。
【００１６】
胴体部１は、通気性の小さな又は通気性の無いシート状素材で形成されている。
この胴体部１（服本体１０）の裾部１１には、例えばゴム等、伸縮性のある部材が取り付けられている。これにより、服本体１０の裾部１１は絞り込まれて身体側に密着するようになる。
また、この空調衣服１００は前開きタイプであり、服本体１０（胴体部１）の前身頃はファスナー１２によって開閉されるようになっている。
【００１７】
一対の袖部２は、通気性の小さな又は通気性の無いシート状素材で形成されており、胴体部１の上部両側に縫着されている。
この袖部２の袖口２ａ側には、例えばゴム等、伸縮性のある部材が取り付けられている。これにより、袖口２ａは絞り込まれて身体側に密着するようになる。
【００１８】
フード部３は、胴体部１の襟周りに相当する部分に縫着されている。
フード部３には、使用者の頭を覆った状態で使用者の顔を出すための開口３ａが設けられている。
このフード部３の開口３ａの縁は使用者の顔に密着可能に構成されている。
本実施形態のフード部３の開口３ａの縁は、使用者の顔に密着し易いように、伸縮性を有する素材で形成されている。
さらに、フード部３には、その開口３ａの縁を使用者の顔に好適に密着させるための調整手段３ｂが設けられている。
本実施形態の調整手段３ｂは、複数のスナップボタンで構成されており、嵌め合わせるスナップボタンの組み合わせによって、フード部３の開口３ａの縁を使用者の顎にフィットさせる調整を可能にしている。
【００１９】
特に、フード部３には、服本体１０内部の空間を流通した空気を外部に排出するのに、使用者の顔面に当たらないように排出する空気排出手段３１，３２が設けられている。
具体的には、フード部３における使用者の首周りを覆う部分には、送風手段５０によって服本体１０内に送り込まれて流通した空気を外部に排出する第１の空気排出手段３１が設けられている。
また、フード部３における使用者の頭頂を覆う部分には、送風手段５０によって服本体１０内に送り込まれて流通した空気を外部に排出する第２の空気排出手段３２が設けられている。
フード部３におけるこのような位置に空気排出手段３１，３２を設けたことで、空気排出手段３１，３２から排出される空気が使用者の顔面に当たらないようになっている。
【００２０】
第１の空気排出手段３１および第２の空気排出手段３２は、服本体１０内を流通した空気を外部に排出可能な通気性を有するシート状素材で形成されている。
本実施形態では、通気性を有するとともに伸縮性を有するシート状素材で第１の空気排出手段３１を形成した。使用者の首の後ろ側や後頭部の一部を覆うとともに胴体部１との境界に設けられている第１の空気排出手段３１が伸縮性を有していれば、フード部３を被っている使用者が頭を動かしても第１の空気排出手段３１が伸縮してその動きに追従するので、使用者の頭からフード部３がずれ難くなる。
ここでは、第１の空気排出手段３１を構成するシート状素材が通気性と伸縮性を有するように、そのシート状素材には、ポリエステル繊維とポリウレタン繊維とからなるストレッチ生地（例えば、ポリエステル繊維８２％とポリウレタン繊維１８％の混紡生地）を用いた。
また、第２の空気排出手段３２を構成するシート状素材が通気性を有するように、そのシート状素材には、ポリエステル繊維からなるメッシュ生地を用いた。
なお、フード部３における第１の空気排出手段３１と第２の空気排出手段３２以外の部分は、通気性の小さな又は通気性の無いシート状素材で形成されている。
【００２１】
送風手段５０は、空気を外部から取り込むことにより服本体１０と身体又は下着との間に空気流通路を形成し、その空気流通路内に空気の流れを強制的に生じさせるものである。
２つの送風手段５０，５０は、服本体１０の背面側であって胴体部１の後ろ身頃の下部側に左右に対を成して取り付けられている。
【００２２】
この送風手段５０としては、プロペラを有するファン装置を用いている。
なお、送風手段５０に電力を供給するための電源手段（不図示）は、例えば、服本体１０の内ポケット（不図示）に収納されている。
電源手段は、例えばバッテリーを内蔵した電源装置であり、電源手段と２つの送風手段５０，５０とは電源ケーブルにより電気的に接続されている。
【００２３】
また、空調衣服１００の服本体１０の背面側には、胴体部１の後ろ身頃の中央側からフード部３に亘る部分に、服本体１０の生地に弛みを持たせるように形成された弛み部１３が設けられている。
この弛み部１３は、縦方向（上下方向）に延在するように服本体１０に設けられた一対の縦襠部１３ａの間に立体的に形成されている。
そして、送風手段５０によって外部の空気が服本体１０内に取り込まれると、その取り込まれた空気により弛み部１３は服本体１０の外側に膨らんで、胴体部１からフード部３への空気流通路になる。
【００２４】
このような空調衣服１００を着用した場合、送風手段５０によって服本体１０内に取り込まれた空気は、フード部３の第１の空気排出手段３１と第２の空気排出手段３２から排出されるように流通するので、好適に身体を冷却することができる。
具体的には、送風手段５０によって服本体１０内に取り込まれた空気は主に、服本体１０の背面側の弛み部１３を通じてフード部３の空気排出手段３１から排出されるので、送風手段５０によって取り込まれた空気が使用者の背中から首元に当たり易くなっており、血管が皮膚表面に近い首元を効率的に冷やすようにして、好適に身体を冷却することができる。
また、服本体１０の背面側の弛み部１３を通じてフード部３内に送り込まれた空気の一部は、頭頂部側の第２の空気排出手段３２から排出されるので、フード部３内に空気がこもることはなく、好適に身体を冷却することができる。
このように、好適に身体を冷却することができる空調衣服１００であれば、好適に着用することができる。
【００２５】
また、上述したように、送風手段５０によって服本体１０内に取り込まれた空気は、使用者の顔面には当たらないように、フード部３の第１の空気排出手段３１と第２の空気排出手段３２から排出されるようになっているので、排出された空気が不快に感じられることがない。
また、フード部３の開口３ａの縁が使用者の顔に密着するようになっており、その開口３ａからは空気が排出され難くなっているので、フード部３の開口３ａから空気が排出されて使用者の顔に当たるようなことはない。
また、フード部３の開口３ａの縁が使用者の顔に密着するようになっているので、使用者の頭から抜けた毛髪が開口３ａから外に出難くなっている。
【００２６】
以上のように、本実施形態の空調衣服１００は、身体を効率的に冷却することができ、好適に着用することができる。
【００２７】
なお、以上の実施の形態においては、フード部３の空気排出手段３１，３２を、服本体１０内を流通した空気を外部に排出可能な通気性を有するシート状素材で形成するとしたが、本発明はこれに限定されるものではなく、例えば、複数の小孔が形成されたシート状素材（通気性の小さな又は通気性の無いシート状素材に複数の小孔が形成されたもの）で空気排出手段３１，３２を形成してもよい。
【００２８】
また、以上の実施の形態においては、フード部３の開口３ａの縁を使用者の顔に好適に密着させるための調整手段３ｂを、複数のスナップボタンで構成した場合を例に説明したが、本発明はこれに限定されるものではなく、例えば、フード部３の開口３ａの縁に沿わせて配した調整紐を巾着状に締めるようにした調整手段であってもよい。
【００２９】
また、以上の実施の形態においては、胴体部１の後ろ身頃の下部側で左右に対を成す送風手段５０，５０を設けたが、送風手段５０を設ける位置は任意であり、例えば、胴体部１の後ろ身頃の上部側で弛み部１３を挟む配置に対を成す送風手段５０，５０を設けてもよい。
【００３０】
また、その他、具体的な細部構造等についても適宜に変更可能であることは勿論である。
【符号の説明】
【００３１】
１      胴体部
１１    裾部
１２    ファスナー
１３    弛み部
１３ａ  縦襠部
２      袖部（一対の袖部）
２ａ    袖口
３      フード部
３ａ    開口
３ｂ    調整手段
３１    第１の空気排出手段
３２    第２の空気排出手段
１０    服本体
５０    送風手段
１００  空調衣服
【図１】
2020193416.tif 000003
【図２】
2020193416.tif 000004